(57)【要約】【課題】追加部品、工数を増やすことなく、コスト高を抑えて、傾斜形磁石式センサ一体型の可変吸入空気制御アクチュエータ３０の作動位置が作動範囲内外かを容易に検出して、オーバランの発生を判定する可変吸入空気制御装置の異常判定方法を提供する。【解決手段】傾斜形磁石式センサ一体型の可変吸入空気制御アクチュエータ３０において、位置センサ検出出力の絶対値で判定するのでなく、可変吸入空気制御アクチュエータ３０の開弁もしくは閉弁の作動方向とそれに対する位置センサ検出出力の変化分の組合せによって、可変吸入空気制御アクチュエータ３０の作動位置が作動範囲内か外かを検知して、オーバランを判定できるようにする。【選択図】図５
2008144636.tif 000002
【特許請求の範囲】
【請求項１】
内燃機関の吸気系に設けられて吸気効率を可変するための複数の吸気効率可変手段に用いられる可変吸入空気制御装置であって、
内燃機関の吸気管内に弁軸を介して回動開閉可能に配設される弁体と、
前記弁軸を回転駆動し、前記弁体を所定の開度に開閉するために開弁方向、および閉弁方向に揺動駆動するアクチュエータと、
前記アクチュエータ本体の作動量を検知するセンサとして、磁気検出手段と、前記アクチュエータ本体の作動量に応じて磁気検出手段位置における磁束密度を変化せしめる傾斜形磁石式磁気発生手段とからなる磁気検知方式の位置センサと、
該位置センサの検出信号を入力し、前記内燃機関の運転状態に応じて前記アクチュエータに印加する駆動信号を出力して、前記弁体の開度を可変制御するエンジン制御回路と、
を設けた可変吸入空気制御装置において、
前回検出処理した開度信号と今回検出処理した開度信号との変化分を算出して、
前記変化分の大きさと開弁もしくは閉弁の作動方向の比較によって、
今回検出処理した開度位置が作動範囲の内外かを検知して、
オーバランの判定をすることを特徴とする可変吸入空気制御装置の異常判定方法。
【発明の詳細な説明】
【技術分野】
【０００１】
本発明は、内燃機関の吸気系に設けられて吸気効率を向上させるための吸気効率可変手段（可変吸入空気制御システム）に用いられる可変吸入空気制御装置における異常判定方法に関する。
【背景技術】
【０００２】
〔従来の技術〕
従来から、内燃機関（以下、エンジン）の吸気効率を向上させてエンジン出力、燃費、エミッション等を向上させる吸気効率可変手段として、例えば、低速回転時のシリンダ内への吸気に渦流を生じさせ、燃焼速度を速めて燃焼効率を向上させ、燃費や有害排気成分の改善を図る吸気渦流発生装置や、吸気管の長さを切替えてシリンダ内への吸気に慣性効果を得て体積効率を向上させ、出力や燃費の改善を図る吸気通路可変装置等が公知である。上記の吸気効率可変手段はそれぞれ独立に、もしくは連動して搭載されるが、各吸気効率可変手段は、吸気管内に配置された制御弁に連結し、吸気管外に取付けられたアクチュエータと可変吸入空気制御装置を構成し、それぞれの制御弁の開度を可変（制御）するようにエンジン制御ＥＣＵと可変吸入空気制御システムを構成して、用いられている（図８参照）。
【０００３】
図８に示すように、吸気渦流発生装置１０１と吸気通路可変装置１０２のそれぞれの制御弁１０３、１０４を駆動する可変吸入空気制御アクチュエータ１１０が、吸気管１０５に備えたスロットル弁１０６のスロットル開度信号αを受けるエンジン制御ＥＣＵ１０７から出力される駆動信号βに対応してそれぞれの制御弁１０３、１０４の開度を変化させ、それぞれの開度に応じたエンジン内の吸入空気（吸気）に対して好適な点火時期となす演算された点火信号γが、エンジン制御ＥＣＵ１０７から点火プラグ１０８に出力され、点火時期が制御されるように構成されている。このとき、精密な駆動が要求される車両用エンジンの吸気効率可変手段の分野では、被駆動部材の変位量や回転量を検出すべく、可変吸入空気制御アクチュエータ本体に、可変吸入空気制御アクチュエータ本体の作動量を検出するセンサを設けたものが用いられ、このセンサの出力信号δをエンジン制御ＥＣＵ１０７にフィードバックさせて、点火時期制御の精度を向上させる構成となっている。
【０００４】
このような吸気効率可変手段に用いられる可変吸入空気制御装置の可変吸入空気制御アクチュエータは、一般的な直流モータのモータシャフトにギア機構を介して、モータシャフトに直交する面内でモータシャフトと非交差位置に設けられた駆動軸をドライブして、モータの回転をモータシャフトと直交する方向に取出すものが公知であり、駆動軸の回転量を検出するセンサには、磁気検知式、接触抵抗式、光学式等があるが、可変吸入空気制御装置のように、使用場所が車両のエンジンルームのように環境条件の厳しい場所となる場合には、信頼性の面から磁気検知式が採用されることが多い（例えば、特許文献１参照）。
【０００５】
特許文献１には、可変吸入空気制御アクチュエータ本体に磁気検知方式の傾斜形磁石式位置センサを設けたものが開示されている。図９は、特許文献１に開示される位置センサの構成と検出特性を示すもので、（ａ）は平面図で、（ｂ）は正面図であり、（ｃ）は位置センサの出力特性図である。図９（ａ）、（ｂ）に示すように、位置センサ１２０は、可変吸入空気制御アクチュエータ本体である揺動アクチュエータの、揺動軸が突出するハウジング端面に磁気検出手段（例えば、ホール素子）１２５が設けられ、揺動軸には、ホール素子１２５と対向して上下着磁で略９０°の円弧状の磁石１２２、１２３を組み合わせて全体として略１８０°の円弧状の磁石とした磁気発生手段１２１とからなり、略１８０°の円弧状の磁石は異極が組み合わされる当接部で最も厚さが薄くなるテーパ形状となっており、ホール素子１２５と対向する磁極面が傾斜面となっている。
【０００６】
２つの円弧状の磁石１２２、１２３は極性のみ異なる実質的に等価な磁石であるため、当接部位置で２つの円弧状の磁石１２２、１２３の厚さが０に近づくとともに、２つの円弧状の磁石１２２、１２３の磁束密度が相殺して磁束密度が０になる。従って、図５（ｃ）に示すように、揺動軸の回転角度に応じてホール素子１２５で検出される磁束密度が途中で０を横切り、磁束密度の符号が反転する。つまり、磁束密度が途中で０を横切る角度位置を基準位置（０°）とすれば、一方向角度位置を正の信号とし、他方向角度位置を負の信号として磁束密度を検出することができる。
【０００７】
この場合、温度特性が安定している磁束密度が０の回転角を基準とすることができるので、温度によって０点がドリフトせず、高精度である（０点の安定性）。また、着磁面を滑らかなテーパ面とすることにより検出信号の良好なリニアリティが確保でき、テーパ角度を大きくし易いため角度位置変化に対する磁束密度変化は大きくなるため分解能を向上できる。
【０００８】
つまり、異極組み合わせ部分となる磁束密度０点を基準位置となして揺動アクチュエータ作動位置検出の高精度化を図り、検出誤差を低減させたことを特徴とする位置センサであって、これにより、揺動アクチュエータを大型化することなく、揺動アクチュエータの揺動軸（出力軸）の回転量、つまり制御弁の開度位置が検出できることとなる。従って、この開度位置検出信号に応じて、エンジン制御ＥＣＵから演算された点火信号が精度良く点火プラグに出力されるとともに、全開および全閉、もしくは所定の開度位置にて、揺動アクチュエータの駆動を停止するなど精度良い制御が可能である。
【０００９】
〔従来技術の不具合〕
このような、センサ一体の可変吸入空気制御アクチュエータはコンパクトでその点では望ましく、また、異極を組み合わせて磁束密度０点を基準位置となして高精度化を図ることは好適であるが、次の問題がある。すなわち、略半円の円弧状磁石となすことにより、この磁石が配置されない部分での磁束密度は、２つの磁石の異極組み合わせ部分（基準位置）と同じく磁束密度０点であり、このために、基準位置なのかあるいは磁石の配置されていない作動範囲外なのかの判断ができないという欠点を有している。このために、作動範囲外に回転ができないように揺動アクチュエータの作動範囲を限定する機械的なストッパを設けるが、機械的なストッパが故障した際に、作動範囲外、つまりオーバランが発生して回転位置と対応しない誤信号が発生して、可変吸入空気制御装置の誤作動が生じる恐れがある。
【００１０】
この誤作動防止の対応として、以下に記載する異常（オーバラン）判定方法および装置が検討されている。いずれの対応例もフェールセーフとしてそれなりの効果を有するものの、新たに部品追加が必要となり、コスト高、および大型化が避けられないという欠点がある。
【００１１】
〔対応例１〕
図１０に本対応例における可変吸入空気制御装置の位置センサ構成を示す。図１０に示すように本対応例では、磁気検知方式の位置センサ１２０の磁石構造を上下着磁で略１８０°の円弧状の磁石１２２、１２３を組み合わせて全体として略３６０°の円環状の磁気発生手段１２１としたもので、異極が組み合わされる当接部が２箇所生じるが、一方箇所で最も厚さが薄くなるテーパ形状となっており、ホール素子１２５と対向する磁極面が傾斜面となし、他方箇所では最も厚さが厚くなる部分で組み合わされている。
【００１２】
これにより、仮に正常領域の−９０°〜＋９０°の揺動角度を超えてオーバランが生じても、位置センサ１２０が検出する磁束密度は０とはならないため、有限の磁束密度と１対１に対応させることにより作動範囲外を検知することができる。しかし、用いる磁石が倍に増え、大きくなってコスト高となる。また、傾斜面のテーパ勾配がなだらかになるため、分解能も低下して精度が低下する心配もある。
【００１３】
〔対応例２〕
図１１は本対応例における可変吸入空気制御装置の位置センサ構成を示す。図１１に示すように本対応例では、基準位置に対向する任意の位置に、円弧状の磁石１２２、１２３とは別の判定用磁石１２４と判定用の磁気検出手段（例えば、ホール素子）１２６からなる判定用センサ１３０を配置し、この判定用センサ１３０が検出する判定用磁束密度検出出力Ｂと既設の位置センサ１２０を構成する位置検出用の磁気検出手段１２５が検出する検出用磁束密度検出出力Ａを組合わせることによりオーバランを判定する。
【００１４】
これにより、仮に正常領域の−９０°〜＋９０°の揺動角度を超えてオーバランが生じると、位置センサ１２０が検出する磁束密度が０となっても、１８０°位相のずれる判定用センサ１３０が検出する磁束密度は０でない有限値であるため作動範囲外のオーバランと判定できる。しかし、本対応例でも判定用磁石１２４と判定用のホール素子１２６を追加する必要があり、コスト高となる心配がある。
【００１５】
〔対応例３〕
図１２は本対応例における可変吸入空気制御装置の位置センサ構成を示す。図１２に示すように本対応例では、基準位置に配置したホール素子１２５とは別に１個の判定用のホール素子１２６を基準位置とは異なる円弧状の磁石１２２、または１２３の両他端位置に対向して配置し、この追加したホール素子１２６が検出する判定用磁束密度検出出力Ｂ１（図中細線の一点鎖線）、またはＢ２（図中細線の二点鎖線）と既設の位置センサ１２０を構成する位置検出用のホール素子１２５が検出する検出用磁束密度検出出力Ａを組み合わせることによりオーバランを判定する。
【００１６】
これにより、仮に正常領域の−９０°〜＋９０°の揺動角度を超えてオーバランが生じると、位置センサ１２０が検出する磁束密度は０となっても、９０°位相のずれる１個の判定用センサ１３０が検出する磁束密度は０でない有限値であるため作動範囲外のオーバランと判定できる。しかし、本対応例でも判定用のホール素子１２６を１個追加する必要があり、コスト高となる心配がある。
【特許文献１】特開２００４−２８８０９号公報
【発明の開示】
【発明が解決しようとする課題】
【００１７】
エンジンの吸気効率を向上させてエンジン出力、燃費、エミッション等を改善させる吸気効率可変手段は今後種類が増えるとともに、限られたスペースのエンジンルーム内の搭載のため小型化は勿論、低コスト化も望まれる。また、加えて、エンジンの性能向上に係る各吸気効率可変手段の制御精度の向上や信頼性の向上が強く望まれ、特に、作動の安定、安全を図るフェールセーフは重要となる。
【００１８】
本発明は、上記の課題に鑑みてなされたもので、追加部品、工数を増やすことなく、コスト高を抑えて、傾斜形磁石式センサ一体型の可変吸入空気制御アクチュエータの作動位置が作動範囲内外かを容易に検出して、オーバランの発生を判定する可変吸入空気制御装置の異常判定方法を提供することを目的とする。
【課題を解決するための手段】
【００１９】
〔請求項１の手段〕
請求項１の手段を採用する可変吸入空気制御装置の異常判定方法では、内燃機関の吸気管内に弁軸を介して回動開閉可能に配設される弁体と、弁軸を回転駆動し、弁体を所定の開度に開閉するために開弁方向、および閉弁方向に揺動駆動するアクチュエータと、アクチュエータ本体の作動量を検知するセンサとして、磁気検出手段と、アクチュエータ本体の作動量に応じて磁気検出手段位置における磁束密度を変化せしめる傾斜形磁石式磁気発生手段とからなる磁気検知方式の位置センサと、位置センサの検出信号を入力し、内燃機関の運転状態に応じてアクチュエータに印加する駆動信号を出力して、弁体の開度を可変制御するエンジン制御回路と、を設けた可変吸入空気制御装置において、前回検出処理した開度信号と、今回検出処理した開度信号との変化分を算出して、変化分の大きさと開弁もしくは閉弁の作動方向の比較によって、今回検出処理した開度位置が作動範囲の内外かを検知して、オーバランの判定をすることを特徴としている。
【００２０】
これによれば、従来の内燃機関の運転中でのオーバランの判定が位置センサの検出信号の絶対値である磁束密度の０点であって、この磁束密度０点は作動範囲内にも１つあって作動範囲内外の区別がつかず、オーバランの判定が正確にできなかった。また、オーバランの判定に、判定用の位置センサを新たに追加して判定用位置センサの検出信号の絶対値によってオーバランの判定は可能となるものの追加部品、工数が増えて大型化し、コスト高となる。しかし、本発明の請求項１の手段を採用する可変吸入空気制御装置の異常判定方法によれば、新たな部品追加もなく、単に、今回処理時でのセンサ出力Ｓ（ｔ）と前回処理時でのセンサ出力Ｓ（ｔ−１）との差、つまり変化分をアクチュエータの作動方向（開弁もしくは閉弁方向）それぞれについて検知することによって、オーバランの判定が可能となって、追加部品、工数を増やすことなく、コスト高を抑えて容易に判定することができる。
【００２１】
また、磁束密度の絶対値に基づく判定ではなく、磁束密度の変化分に基づく判定方法であるため、磁気発生手段である磁石の温度特性の影響を受けることなく判定できるので、高精度な検出と判定が可能となる。
【００２２】
また、磁気発生手段である磁石の形状、つまり磁束密度０点の設定位置や、着磁のパターンを変更しても、あるいは磁気検出手段の検出感度を変更しても、それに伴う定数適合をすることなく同じ検出ロジックで対応できるため、磁気発生手段である磁石や磁気検出手段であるホール素子の設計自由度が高くなり、従ってコスト高を抑えることが可能となる。
【発明を実施するための最良の形態】
【００２３】
本発明を実施するための最良の形態は、傾斜形磁石式センサ一体型アクチュエータにおいて、位置センサ検出出力の絶対値で判定するのでなく、可変吸入空気制御アクチュエータの作動方向とそれに対する位置センサ検出出力の変化分の組合せによって、可変吸入空気制御アクチュエータの作動位置が作動範囲内か外かを検出して、オーバランを判定できるようにしたものである。
本発明の最良の実施形態を、図に示す実施例１とともに説明する。
【実施例１】
【００２４】
〔実施例１の構成〕
本実施例では、自動車等の車両に搭載されるエンジンの吸気系に設けられて、エンジンの吸気効率を向上させる多種の吸気効率可変手段の中で、例えば低速回転時のシリンダ内への吸気に渦流を生じさせ、燃焼速度を速めて燃焼効率を向上させ、燃費の改善や有害排気成分の改善を図る吸気渦流発生装置や、吸気管の長さを切替えてシリンダ内への吸気に慣性効果を得て体積効率を向上させ、出力や燃費の改善を図る吸気通路可変装置等のうち、代表的に、吸気渦流発生装置のみが搭載される可変吸入空気制御システムについて説明する。
【００２５】
図１ないし図６は本発明の実施例１を示したもので、図１は可変吸入空気制御システムの全体構成図であり、図２はセンサ一体の可変吸入空気制御アクチュエータの構成図である。
【００２６】
図１に示すように、エンジン１の吸気系を構成する吸気管２０には、その上流側からエアクリーナ２１、スロットルバルブ２２、サージタンク２３が順次設置されるとともに、排気系を構成する排気管１５には、触媒コンバータ１６、マフラ１７が順次設置されている。エンジン１は、シリンダブロック２、ピストン３、シリンダヘッド４、燃焼室５、吸気ポート６、吸気バルブ７、排気ポート８、排気バルブ９、および点火プラグ１０からなる公知の構成である。各気筒の吸気ポート６はそれぞれ対応する吸気管２０を介して共通のサージタンク２３に接続され、サージタンク２３は吸気管２０を介してエアクリーナ２１に接続される。吸気管２０内には上流側にスロットルバルブ２２が、下流側には燃料を噴射する噴射インジェクタ２４が配置される。一方、各気筒の排気ポート８には、共通の排気マニホールドを介して排気管１５に接続される。なお、各点火プラグ１０および各噴射インジェクタ２４はエンジン制御回路４０からの出力信号に基づいてそれぞれ制御される。
【００２７】
噴射インジェクタ２４とサージタンク２３間の吸気管２０内には、弁軸２６を介して、可変吸入空気制御アクチュエータ３０により制御されるバタフライ弁からなるスワール制御弁２５が配置される。このスワール制御弁２５は、吸気ポート６を分岐通路として２つのメインポート６ａとスワールポート６ｂとに区画して、スワールポート６ｂを常時開いた状態でメインポート６ａを開閉するように吸気ポート６の上流側に設置されている。そして、このスワール制御弁２５は燃焼室５内に流入する吸入空気により燃焼室５内にシリンダ軸線回りの旋回流、すなわちスワールを形成するためのものであり、燃焼室５内にスワールを形成させたいときにはスワール制御弁２５の開度を小さくする。その結果、吸気ポート６のメインポート６ａよりもスワールポート６ｂからの流入空気が増えて、偏流を起こし易くなって燃焼室５内にスワールを形成させる。
【００２８】
この場合、吸入空気とともに燃焼室５内に流入した燃料は、このスワールにより燃焼室５内全体に混合されて、したがって燃焼室５内には均一混合気が形成され易くなる。この混合気は次いで点火プラグ１０により着火され、良好な燃焼が実現できる。一方、スワールの形成を弱めるときには、スワール制御弁２５の開度を大きくし、また、スワールの形成を停止させるときはスワール制御弁２５を全開にする。その結果、ポンピングロスが低減される。なお、可変吸入空気制御アクチュエータ３０はエンジン制御回路４０からの出力信号に基づいて制御される。
【００２９】
次に、可変吸入空気制御アクチュエータ３０の構成を説明する。図２は可変吸入空気制御アクチュエータ３０の構成を示し、（ａ）は全体構造を示す部分断面図であり、（ｂ）は要部である位置センサ３７の取付け構成を示す図２（ａ）Ｙ矢視になる部分断面図である。図２（ａ）に示すように、ハウジング３１内にはアクチュエータ本体３０をなすモータ３２およびギア機構３３等が格納され、モータ３２の回転を駆動軸３４から取出すようになっている。駆動軸３４は、モータ３２の側方で、モータシャフト３２ａの上下方向に対して水平方向に配置され、軸受３５により軸支されている。ギア機構３３はモータ３２の上方から、駆動軸３４の軸端部分にかけて位置している。
【００３０】
ギア機構３３は、モータ３２のケース３２ｂの上端面から突出するモータシャフト３２ａにウォームギア３３ａが結合され、これと噛合する第１のギア３３ｂにより、第１のギア３３ｂを挿通するギアシャフト３３ｃにモータ回転を伝達する。ギアシャフト３３ｃは駆動軸３４と平行に設けられる。ギアシャフト３３ｃには第１のギア３３ｂの他、第２のギア３３ｄが同軸に結合し、両端で軸支されている。第２のギア３３ｄは駆動軸３４の軸端に結合した第３のギア３３ｅと噛合している。
【００３１】
第３のギア３３ｅは駆動軸３４と同軸の円盤状のベース部３６の端面から突設している。また、ベース部３６の端面には、第３のギア３３ｅの他、ヨーク３６ａおよびセンサ磁石３８の取付け用の円弧状の段部３６ｂが設けられている。段部３６ｂは第３のギア３３ｅと略同じ円周上に形成され、略半周分を占める長さとしている。段部３６ｂの段上面には円弧状の溝が形成されており、これにヨーク３６ａおよびセンサ磁石３８がこの順にはめ込まれている。
【００３２】
図２（ｂ）に示すように、センサ磁石３８と対向してホール素子３９が設けられて位置センサ３７を形成している。ホール素子３９は感磁方向を駆動軸３４と平行にとってモータ３２の径方向に向けて配置される。また、駆動軸３４が可変吸入空気制御アクチュエータ３０の仕様として要求される所定の回動角度範囲を回動して、ホール素子３９位置をセンサ磁石３８が所定角度範囲を通過したときに、その全範囲において、第３のギア３３ｅと第２のギア３３ｄとが噛合するようにギアシャフト３３ｃと駆動軸３４との相対的な位置関係が設定される。
【００３３】
次に、位置センサ３７の構成を図３を参照して説明する。図３は位置センサ３７の構成と検出特性を示すもので、（ａ）は平面図で、（ｂ）は正面図であり、（ｃ）は位置センサ３７の出力特性図である。位置センサ３７の検出特性はセンサ磁石３８の着磁パターンによって種々のものが得られるが、本実施例では高精度の制御に好適なテーパ形状を付与した二極上下着磁の磁石をセンサ磁石３８として使用する傾斜形磁石式センサである。
【００３４】
図３（ａ）、（ｂ）に示すように、センサ磁石３８は、上下着磁で略９０°の円弧状の磁石３８ａ、３８ｂを組み合わせて全体として略１８０°の円弧状の磁石としたもので、異極が組み合わされる当接部で最も厚さが薄くなるテーパ形状となっており、ホール素子３９と対向する磁極面が傾斜面となっている。一方の磁石３８ａは傾斜面側がＮ極で、他方の磁石３８ｂは傾斜面側がＳ極としてある。両磁石３８ａ、３８ｂは極性のみ異なる実質的に等価な磁石である。
【００３５】
このようなセンサ磁石３８を用いる場合には、両磁石３８ａ、３８ｂの当接部位置で磁石３８ａ、３８ｂの厚さが０に近づくとともに両磁石３８ａ、３８ｂの磁束密度が相殺して磁束密度が０となるから、駆動軸３４の回転角度に応じてホール素子３９で検出される磁束密度が途中で０を横切り、磁束密度の符号が反転する（図３（ｃ）参照）。磁束密度が途中で０を横切る角度位置を基準位置（０°）とすれば、一方向角度位置を正の信号とし、他方向角度位置を負の信号として取出せる。
【００３６】
この場合、温度特性が安定している磁束密度が０の回転角度を基準とすることができるので、温度によって０点がドリフトせず０点の安定性が保てる。また、駆動軸３４の回転に対して漸増または漸減する傾斜面を滑らかに、かつ緩やかに形成することができるので、リニアリティが良好で分解能が高い信号を取出せ、高精度の制御に好適である。なお、可変吸入空気制御アクチュエータ３０は、エンジン制御回路４０からの出力信号に基づいて制御されるが、可変吸入空気制御アクチュエータ３０と一体である位置センサ３８の回転位置信号がエンジン制御回路４０にフィードバックされて、常に正しく、安定した制御ができるようになっている。
【００３７】
エンジン制御回路（以下、ＥＣＵ）４０は、図１に示すように、制御処理、演算処理を行うＣＰＵ（マイクロプロセッサ）４１、各種のプログラムおよびデータを保存する記憶装置のＲＯＭ（リードオンリーメモリ）４２、ＲＡＭ（ランダムアクセスメモリ）４３、入力ポート４４、出力ポート４５、および各駆動回路４６が双方向性バス４７を介して相互に接続されて構成される周知の構成のマイクロコンピュータである。
【００３８】
また、シリンダブロック２にはエンジン冷却水温を検出する水温センサ１１と、サージタンク２３にはサージタンク２３内の負圧を検出する負圧センサ１２と、排気管１５には空燃比を検出する空燃比センサ１３が取付けられ、それぞれ検出した出力電圧はそれぞれ対応するＡＤ変換器４８を介して入力ポート４４に入力される。ＣＰＵ４１では負圧センサ１２の出力電圧ｐに基づいて吸入空気量Ｑが算出される。さらに、入力ポート４４には、クランクシャフトの回転角度θを検出するクランク角センサ１４が接続され、ＣＰＵ４１ではクランク角センサ１４の出力パルスに基づいてエンジン回転数Ｎが算出される。一方、出力ポート４５は駆動回路４６を介して各点火プラグ１０、各噴射インジェクタ２４、および可変吸入空気制御アクチュエータ３０に接続される。
【００３９】
そして、ＥＣＵ４０は、図示しないイグニッションスイッチのオン（ＯＮ）操作により起動される。ＥＣＵ４０が起動されると、図４（ａ）に示すエンジン制御ルーチンに従って、まず、ステップＳ１０１で、負圧センサ１２やクランク角センサ１４の出力信号ｐ、θを読み込み、ステップＳ１０２で現在のエンジンの運転状態（例えば、エンジン吸入空気量Ｑ、エンジン回転数Ｎ）をメモリ内に格納された各種のエンジン制御プログラムを実行することで算出し、ステップＳ１０３の運転状態選択によるエンジン１の運転条件または運転状態に対応して、噴射インジェクタ２４の燃料噴射量・時間の算出（ステップＳ１０４）や、点火プラグ１０の点火時期の算出（ステップＳ１０５）を実行するとともに、エンジン運転状態に応じて吸気効率可変手段である吸気渦流制御システムのスワール制御弁２５の開度の算出（ステップＳ１１０）を実行する。
【００４０】
また、図４（ｂ）はスワール制御弁２５の開度を算定するための制御ルーチンの一例を示している。この制御ルーチンは所定の制御タイミングで繰り返し実行される。図４（ｂ）を参照すると、まずステップＳ１１１では現在エンジン暖機運転時であるか否かが判別される。この暖機運転は、例えばエンジン始動が完了してエンジン冷却水温が所定の温度より高くなるまでの間をエンジン暖機運転時であると判定するとき、現在エンジン暖機運転時のときには次いでステップＳ１１２に進み、例えば、予め実験によって求められて、ＲＯＭ内に記憶されている水温対開度マップに基づいてスワール制御弁２５の要求開度が算出される。
【００４１】
そして、つづくステップＳ１１３で、今回算出した要求開度と前回検出した検出開度とを比較判断して、ＹＥＳの場合、つまり前回の検出開度が大きければスワール制御弁２５を閉じる必要があるため、ステップＳ１１４の時計回り（ＣＷ）駆動を実行する。また、逆に、ステップＳ１１３において、ＮＯの場合、つまり前回の検出開度が小さければスワール制御弁２５を開ける必要があるため、ステップＳ１１５の反時計回り（ＣＣＷ）駆動を実行する。
【００４２】
一方、ステップＳ１１１において現在暖機運転でないとき、すなわち暖機運転が完了したときには次いでステップＳ１１６に進み、スワール制御弁２５の開度を１００％とする。すなわち、スワール制御弁２５が全開となって燃焼室５内におけるスワールの形成を停止させる。
【００４３】
また、ＥＣＵ４０はエンジン運転中に、本発明である図５に示す異常判定処理（オーバラン判定ルーチン）を実行することで、吸気渦流制御システムが正常であるか否かを判定し、吸気渦流制御システムが正常でないと判定されたときに、作動異常フラグを表示するようになっている。
【００４４】
次に、このオーバラン判定ルーチンの判定方法を説明する。図５は、可変吸入空気制御アクチュエータ３０のオーバラン判定方法を示したフローチャートである。なお、図５のフローチャートは、メモリに格納された制御プログラムに相当するもので、イグニッションスイッチがＯＮされてバッテリからＥＣＵ４０へＥＣＵ電源の供給がなされた時点で起動され、その後所定の制御タイミングで繰り返し実行されるものである。
【００４５】
まず、ステップＳ２０１でスワール制御弁２５の作動方向が時計回り（ＣＷ）か反時計回り（ＣＣＷ）かが判定される。そして、ＣＣＷであれば、ステップＳ２０２に進み、オーバランフラグがＯＮであって、かつ、今回処理時でのセンサ出力Ｓ（ｔ）と前回処理時でのセンサ出力Ｓ（ｔ−１）との差、つまり変化分が負であるか否かを判定する。ＹＥＳの場合、つまり、センサ出力の変化分が負の値となるのは正常領域とオーバラン領域の境界、つまり、回転角度位置にて−９０°および＋９０°のセンサ終端の位置であるため、オーバラン領域から正常領域への復帰と判断し、オーバランフラグをＯＦＦとし（ステップＳ２２１）、作動異常ではないので作動異常フラグをＯＦＦとする（ステップＳ２２２）。そして、今回処理時でのセンサ出力Ｓ（ｔ）を前回処理時でのセンサ出力Ｓ（ｔ−１）と置き換え（ステップＳ２３０）、処理を終了する。一方、ＮＯの場合、つまり、センサ出力の変化分が正の値または０ならばステップＳ２０３に進む。
【００４６】
ここで、今回処理時でのセンサ出力Ｓ（ｔ）と前回処理時でのセンサ出力Ｓ（ｔ−１）との差、つまり変化分を判定する方法について説明する。図６（ａ）は位置センサの検出出力（磁束密度）を出力軸３４の回転角度に対して示す検出出力特性図であり、（ｂ）はＣＣＷ時の回転角度に対する磁束密度の変化を示す検出出力変化特性図であり、（ｃ）はＣＷ時の回転角度に対する磁束密度の変化を示す検出出力変化特性図である。図６（ｂ）、（ｃ）における特性値は、今回処理時でのセンサ出力Ｓ（ｔ）と前回処理時でのセンサ出力Ｓ（ｔ−１）との差であるところの変化分を示し、（ａ）に示す磁束密度特性をＣＣＷ方向に−１８０°から＋１８０°まで微分演算して得られたものが（ｂ）であり、ＣＷ方向に同様に微分演算したものが（ｃ）であると考えることもできる。
【００４７】
このことから、例えば図６（ｂ）のＣＣＷ時の磁束密度変化特性は−１８０°から−９０°までは０であり、−９０°で負のピークを示し、−９０°から基準位置の０°を含めて＋９０°までは正の値（磁束密度特性の勾配に相当する）を示し、＋９０°で再度負のピークを示して後、＋１８０°までは０となる特性を示している。また、図６（ｃ）のＣＷ時の磁束密度変化特性は、回転がＣＣＷと逆となるため、正負が逆になって特性パターンは反転する。
【００４８】
従って、検出出力の磁束密度が０となる基準位置（回転角度０°）と回転範囲外（つまりオーバラン）は、（ｂ）、（ｃ）に示す磁束密度の変化特性に従えば明確に判別がつくこととなり、この特性値を用いることにより簡単に、精度良く判定が可能となる。
【００４９】
図５に従って説明を続ける。ステップＳ２０３は、今回処理時でのセンサ出力Ｓ（ｔ）と前回処理時でのセンサ出力Ｓ（ｔ−１）との差、つまり変化分が正であるか否かを判定する。ＹＥＳの場合、つまり変化分が正の値となるのは、−９０°より大きく＋９０°より小さい角度範囲であり、この範囲は正常領域であって、オーバランフラグはＯＦＦ（ステップＳ２２１）、および作動異常フラグもＯＦＦ（ステップＳ２２２）である。そして、今回処理時でのセンサ出力Ｓ（ｔ）を前回処理時でのセンサ出力Ｓ（ｔ−１）と置き換え（ステップＳ２３０）、処理を終了する。一方、ＮＯの場合、つまり、センサ出力の変化分が負の値または０ならばステップＳ２０４に進む。
【００５０】
ステップＳ２０４は、今回処理時でのセンサ出力Ｓ（ｔ）と前回処理時でのセンサ出力Ｓ（ｔ−１）との差、つまり変化分が負であるか否かを判定する。ＹＥＳの場合、つまり変化分が負の値となるのは、正常領域とオーバラン領域の境界、つまり、回転角度位置にて−９０°および＋９０°のセンサ終端の位置であってオーバランの終了直前と、オーバラン開始直後の位置に相当するため、オーバランの発生と判断し、オーバランフラグをＯＮとする（ステップＳ２２３）。そして、作動はセンサ終端の位置であるため作動異常フラグをＯＦＦにして（ステップＳ２２４）、今回処理時でのセンサ出力Ｓ（ｔ）を前回処理時でのセンサ出力Ｓ（ｔ−１）と置き換え（ステップＳ２３０）、処理を終了する。一方、ＮＯの場合、つまり、センサ出力の変化分が正の値または０ならばステップＳ２０５に進む。
【００５１】
ステップＳ２０５は、今回処理時でのセンサ出力Ｓ（ｔ）と前回処理時でのセンサ出力Ｓ（ｔ−１）との差、つまり変化分が０で、かつ、今回処理時でのセンサ出力Ｓ（ｔ）が０であるか否かを判定する。ＹＥＳの場合、つまり変化分が０の値となり、センサ出力も０となるのは、−９０°より小さく＋９０°より大きい角度範囲であり、この範囲はオーバラン領域であるため、オーバランフラグをＯＮとする（ステップＳ２２３）。そして、作動異常フラグはＯＦＦ（ステップＳ２２４）である。また、今回処理時でのセンサ出力Ｓ（ｔ）を前回処理時でのセンサ出力Ｓ（ｔ−１）と置き換え（ステップＳ２３０）、処理を終了する。
【００５２】
一方、ＮＯの場合、つまり、センサ出力の変化分が０でなく、かつ、センサ出力が０でないならば、アクチュエータに作動を指示しているにもかかわらず、センサ出力が変化しないことから、アクチュエータの作動が異常であると判断し、オーバランフラグはＯＦＦとし（ステップＳ２２５）、作動異常フラグはＯＮ（ステップＳ２２６）とする。そして、今回処理時でのセンサ出力Ｓ（ｔ）を前回処理時でのセンサ出力Ｓ（ｔ−１）と置き換え（ステップＳ２３０）、処理を終了する。
【００５３】
次に、図５のオーバラン判定ルーチンに戻って、ステップＳ２０１でスワール制御弁２５の作動方向が時計回り（ＣＷ）か反時計回り（ＣＣＷ）かが判定され、ＣＷである場合を説明する。このとき、ステップＳ２１２に進み、オーバランフラグがＯＮであって、かつ、今回処理時でのセンサ出力Ｓ（ｔ）と前回処理時でのセンサ出力Ｓ（ｔ−１）との差、つまり変化分が正であるか否かを判定する。ＹＥＳの場合、つまり、センサ出力の変化分が正の値となるのは正常領域とオーバラン領域の境界、つまり、回転角度位置にて−９０°および＋９０°のセンサ終端の位置であるため、オーバラン領域から正常領域への復帰と判断し、オーバランフラグをＯＦＦとし（ステップＳ２２１）、作動異常ではないので作動異常フラグをＯＦＦとする（ステップＳ２２２）。そして、今回処理時でのセンサ出力Ｓ（ｔ）を前回処理時でのセンサ出力Ｓ（ｔ−１）と置き換え（ステップＳ２３０）、処理を終了する。一方、ＮＯの場合、つまり、センサ出力の変化分が負の値または０ならばステップＳ２１３に進む。
【００５４】
ステップＳ２１３は、今回処理時でのセンサ出力Ｓ（ｔ）と前回処理時でのセンサ出力Ｓ（ｔ−１）との差、つまり変化分が負であるか否かを判定する。ＹＥＳの場合、つまり変化分が負の値となるのは、−９０°より大きく＋９０°より小さい角度範囲であり、この範囲は正常領域であって、オーバランフラグはＯＦＦ（ステップＳ２２１）、および作動異常フラグもＯＦＦ（ステップＳ２２２）である。そして、今回処理時でのセンサ出力Ｓ（ｔ）を前回処理時でのセンサ出力Ｓ（ｔ−１）と置き換え（ステップＳ２３０）、処理を終了する。一方、ＮＯの場合、つまり、センサ出力の変化分が正の値または０ならばステップＳ２１４に進む。
【００５５】
ステップＳ２１４は、今回処理時でのセンサ出力Ｓ（ｔ）と前回処理時でのセンサ出力Ｓ（ｔ−１）との差、つまり変化分が正であるか否かを判定する。ＹＥＳの場合、つまり変化分が正の値となるのは、正常領域とオーバラン領域の境界、つまり、回転角度位置にて−９０°および＋９０°のセンサ終端の位置であってオーバランの終了直前と、オーバラン開始直後の位置に相当するため、オーバランの発生と判断し、オーバランフラグをＯＮとする（ステップＳ２２３）。そして、作動はセンサ終端の位置であるため作動異常フラグをＯＦＦにして（ステップＳ２２４）、今回処理時でのセンサ出力Ｓ（ｔ）を前回処理時でのセンサ出力Ｓ（ｔ−１）と置き換え（ステップＳ２３０）、処理を終了する。一方、ＮＯの場合、つまり、センサ出力の変化分が負の値または０ならばステップＳ２１５に進む。
【００５６】
ステップＳ２１５は、今回処理時でのセンサ出力Ｓ（ｔ）と前回処理時でのセンサ出力Ｓ（ｔ−１）との差、つまり変化分が０で、かつ、今回処理時でのセンサ出力Ｓ（ｔ）が０であるか否かを判定する。ＹＥＳの場合、つまり変化分が０の値となり、センサ出力も０となるのは、−９０°より小さく＋９０°より大きい角度範囲であり、この範囲はオーバラン領域であるため、オーバランフラグをＯＮとする（ステップＳ２２３）。そして、作動異常フラグはＯＦＦ（ステップＳ２２４）である。また、今回処理時でのセンサ出力Ｓ（ｔ）を前回処理時でのセンサ出力Ｓ（ｔ−１）と置き換え（ステップＳ２３０）、処理を終了する。
【００５７】
一方、ＮＯの場合、つまり、センサ出力の変化分が０で、かつ、センサ出力が０でないならば、アクチュエータに作動を指示しているにもかかわらず、センサ出力が変化しないことから、アクチュエータの作動が異常であると判断し、オーバランフラグはＯＦＦとし（ステップＳ２２５）、作動異常フラグはＯＮ（ステップＳ２２６）とする。そして、今回処理時でのセンサ出力Ｓ（ｔ）を前回処理時でのセンサ出力Ｓ（ｔ−１）と置き換え（ステップＳ２３０）、処理を終了する。
【００５８】
以上説明したように、オーバランの判定は、可変吸入空気制御アクチュエータ３０の作動方向とそれに対するセンサ出力の変化分との組合せによって、可変吸入空気制御アクチュエータ３０の作動位置が作動範囲内か外かを判別できるようにしたことが特徴である。
【００５９】
本実施例の可変吸入空気制御システムでは、イグニッションスイッチがオンされると、ＥＣＵ４０が起動され、吸気渦流発生装置が稼動するとともにオーバラン判定プログラムが実行される。エンジン１の運転状態に対応してスワール制御弁２５の開度が可変吸入空気制御アクチュエータ３０の駆動によって可変に制御されるが、このときスワール制御弁２５の開度位置を正確に検出して、所定の開度範囲の内か外かを検知し、オーバランを判定し、作動異常を表示する。そして、オーバランのその時点で可変吸入空気制御アクチュエータ３０の作動を停止したり、また、所定の開度範囲内への復帰が検出できるまで可変吸入空気制御アクチュエータ３０を逆方向に作動させることもできる。
【００６０】
通常、可変吸入空気制御アクチュエータ３０の作動範囲を限定するために、機械的なストッパを設けるが、このストッパが故障した際に、作動範囲外の駆動、つまりオーバランが発生する場合に、本発明のオーバラン判定方法によってオーバランを検出して、上記するような作動異常を表示することができる。また、この作動異常表示と連動して、通電を即停止する、または逆方向に通電する等して、オーバランを防止する異常処置を講じるようにすることもできる。このようなフェールセーフが講じられていれば、機械的なストッパの設置を廃止することも可能となる。
【００６１】
〔変形例１〕
本発明の実施例１では、磁気発生手段としてのセンサ磁石３８は、高精度の制御に好適なテーパ形状を付与した二極上下着磁の略９０°の円弧状の磁石３８ａ、３８ｂを組み合わせて全体として略１８０°の円弧状の磁石としたもので、異極が組み合わされる当接部で最も厚さが薄くなるテーパ形状となっており、ホール素子３９と対向する磁極面が傾斜面となっている。一方の磁石３８ａは傾斜面側がＮ極で、他方の磁石３８ｂは傾斜面側がＳ極の極性のみ異なる実質的に等価な磁石を２つ使用している。
【００６２】
このために、両磁石３８ａ、３８ｂの当接部位置で磁石３８ａ、３８ｂの厚さが０に近づくとともに両磁石３８ａ、３８ｂの磁束密度が相殺して磁束密度が０となるから、駆動軸３４の回転角度に応じてホール素子３９で検出される磁束密度が途中で０を横切り、磁束密度の符号が反転し、磁束密度が途中で０を横切る角度位置を基準位置（０°）とすれば、この基準位置（０°）をスワール制御弁２５の全閉位置と対応させて使用している。しかし、これに限ることなく、磁石の温度特性がキャンセルでき、高精度な制御に好適な両磁石の磁束密度が相殺して磁束密度が０となる異極組み合わせ部を、スワール制御弁２５の全閉位置より少し開弁側でスワール強度の発生に敏感で、かつ、高精度が要求される開度（角度）位置を基準位置に一致させて使用してもよい。
【００６３】
この場合の位置センサ３７における磁気発生手段としてのセンサ磁石３８のパターンと磁気検出手段としてのホール素子３９との配置を図７に示し、また、位置センサ３７の検出特性を併せて図示する。図７に示すように、センサ磁石３８を構成する一方の磁石３８ｃは９０°を超える広角の傾斜面を有し、他方の磁石３８ｄは９０°に満たない狭角の傾斜面を有する互いに異なる形状の磁石を組み合わせて全体として略１８０°の円弧状のセンサ磁石３８としたもので、磁束密度０となる当接部の基準位置が回転角度０°より少しシフトさせた構成となっている。
【００６４】
従って、位置センサ３７の検出信号は太線の実線Ａで示すように、回転角度０°から少しシフトして基準位置の磁束密度０を横切り、ＣＣＷ方向では漸増の、ＣＷ方向では漸減の磁束密度特性を有しており、−９０°および＋９０°の位置で磁束密度０となり、この領域を越えた範囲においても磁束密度０が持続する特性となる。この特性は、基準位置が回転角度０°より少しシフトしていることを除いて、実施例１で説明した位置センサ３７の検出特性と同様であって、従って、図中細線の破線Ｂ１で示すＣＣＷ方向の磁束密度変化特性や細線の一点鎖線Ｂ２で示すＣＷ方向の磁束密度変化特性のパターンも実施例１と略同様となる。
【００６５】
つまり、本変形例での位置センサ３７の検出信号を絶対値としてでなく、変化分として使用して、可変吸入空気制御アクチュエータ３０の作動位置が作動範囲の内外かを検知してオーバランを判定することができる。
【００６６】
このように、磁束密度０点の設定や着磁のパターンを変更しても、ＣＣＷ方向の漸増の、そしてＣＷ方向に漸減の有限の勾配値を有して、−９０°、＋９０°位置にて磁束密度０となる検出特性であるならば、定数適合をすることなく同じ検出ロジックで対応ができる。従って、同じ検出ロジックで対応できるので、磁気発生手段であるセンサ磁石３８の設計自由度が高くなり、コスト高を抑えることが容易にできる。
【００６７】
〔実施例１の効果〕
本発明の可変吸入空気制御装置の異常判定方法によれば、追加部品、工数を増やすことなく、コスト高を抑えて、傾斜形磁石式センサ一体型の可変吸入空気制御アクチュエータ３０の作動位置が作動範囲内外かを容易に検出して、オーバランの発生の判定が可能となる。
【００６８】
また、磁束密度の絶対値でなく、可変吸入空気制御アクチュエータ３０の作動方向とその磁束密度の変化分で判定する方法なので、磁石の温度特性の影響を受けることなく高精度な検出と判定が可能となる。
【００６９】
また、磁束密度０点の設定や着磁を変更しても、定数適合をすることなく同じ検出ロジックで対応できるため、磁石の設計自由度が高くなり、従ってコスト高を抑えることが可能となる。
【００７０】
〔他の実施形態〕
実施例１では、吸気渦流発生装置のみが搭載される可変吸入空気制御システムの場合について、また、吸気ポート６を分岐通路して２つのメインポート６ａとスワールポート６ｂとに区画して、スワールポート６ｂを常時開いた状態でメインポート６ａを開閉するようにスワール制御弁２５を配置する場合について説明したが、これに限定されるものではなく、吸気ポート６を分岐させずにメインポート６ａのみにスワール制御弁２５を配置して、スワール制御弁２５の開度に応じて、吸気管２０の通路の一方側に偏流を発生させて、これにより燃焼室５内にスワールを発生させるスワール制御弁２５の場合にも適用でき、あるいは吸気通路可変装置が搭載される可変吸入空気制御システムの場合についても、また、種々の可変吸入空気制御システムが連動して搭載される場合についても適用が可能であることはいうまでもない。
【図面の簡単な説明】
【００７１】
【図１】本発明の可変吸入空気制御システムを含むエンジン制御システム全体の概略構成図である（実施例１）。
【図２】センサ一体の可変吸入空気制御アクチュエータの構成を示し、（ａ）は全体構造を示す部分断面図であり、（ｂ）は要部である位置センサの取付け構造を示す部分断面図である（実施例１）。
【図３】可変吸入空気制御アクチュエータの一体式位置センサの構成と検出特性を示すもので、（ａ）は平面図であり、（ｂ）は正面図であり、（ｃ）は位置センサの出力特性図である（実施例１）。
【図４】（ａ）はエンジンの運転動作を示すフローチャートであり、（ｂ）はスワール制御弁の開度を算出するためのフローチャートである（実施例１）。
【図５】は異常判定処理の流れを示すフローチャートであり、（ａ）は主に判定ステップを示し、（ｂ）は処置ステップを示す（実施例１）。
【図６】（ａ）は位置センサの検出出力（磁束密度）を出力軸の回転角度に対して示す検出出力特性図であり、（ｂ）はＣＣＷ時の回転角度に対する磁束密度の変化を示す検出出力変化特性図であり、（ｃ）はＣＷ時の回転角度に対する磁束密度の変化を示す検出出力変化特性図である（実施例１）。
【図７】位置センサの構成と検出出力（磁束密度）を出力軸の回転角度に対して示す検出出力特性図である（変形例）。
【図８】可変吸入空気制御システムの全体構成図である（従来例）
【図９】可変吸入空気制御アクチュエータの一体式位置センサの構成と検出特性を示すもので、（ａ）は平面図であり、（ｂ）は正面図であり、（ｃ）は位置センサの出力特性図である（従来例）。
【図１０】可変吸入空気制御装置の位置センサの構成と検出特性を示す（対応例１）。
【図１１】可変吸入空気制御装置の位置センサの構成と検出特性を示す（対応例２）。
【図１２】可変吸入空気制御装置の位置センサの構成と検出特性を示す（対応例３）。
【符号の説明】
【００７２】
１      エンジン（内燃機関）
５      燃焼室
６      吸気ポート
６ａ    メインポート
６ｂ    スワールポート
１０    点火プラグ
２０    吸気管
２１    エアクリーナ
２２    スロットルバルブ
２３    サージタンク
２４    噴射インジェクタ
２５    スワール制御弁（弁体）
２６    弁軸
３０    可変吸入空気制御アクチュエータ
３４    駆動軸（出力軸）
３７    位置センサ
３８    センサ磁石（傾斜形磁石式磁気発生手段、磁気発生手段）
３８ａ、３８ｃ    一方の磁石
３８ｂ、３８ｄ    他方の磁石
３９    ホール素子（磁気検出手段）
４０    エンジン制御回路
【図１】
2008144636.tif 000003
【図２】
2008144636.tif 000004
【図３】
2008144636.tif 000005
【図４】
2008144636.tif 000006
【図５】
2008144636.tif 000007
【図６】
2008144636.tif 000008
【図７】
2008144636.tif 000009
【図８】
2008144636.tif 000010
【図９】
2008144636.tif 000011
【図１０】
2008144636.tif 000012
【図１１】
2008144636.tif 000013
【図１２】
2008144636.tif 000014